【手続補正書】
【提出日】平成20年6月4日(2008.6.4)
【手続補正１】
【補正対象書類名】明細書
【補正対象項目名】特許請求の範囲
【補正方法】変更
【補正の内容】
【特許請求の範囲】
【請求項１】  ロケーション関連サーバ・システムであって：
モバイル通信装置のロケーションを示す情報を受信するサーバであって、ネットワークに接続されたサーバと；
前記サーバにアクセス可能なメモリであって、モバイル通信装置と関連しており、前記モバイル通信装置のユーザに関する情報を記憶し、前記モバイル通信装置のロケーションに関するデータと、および前記モバイル通信装置との通信の確立に関するデータを含むメモリと；
を具備し、
前記サーバは、前記モバイル通信装置のユーザに関する情報を記憶する前記メモリへのアクセスを可能にするプログラムを実行し、前記プログラムは、当該ユーザの識別に基づいて、前記メモリへの様々なアクセスを、様々な人々に許可することを特徴とする、ロケーション関連サーバ・システム。
【請求項２】  前記メモリは、ｅカード情報を記憶することを特徴とする、請求項1に記載のロケーション関連サーバ・システム。
【請求項３】  ユーザに関する接触情報を供給する方法であって：
コンピュータ・ネットワークを介してアクセス可能なメモリにおけるユーザ特化スペースを、特定のユーザに割り当て；
モバイル通信装置を前記ユーザと関連させ；
モバイル通信装置によって供給されるロケーション情報を受信することによって、前記ユーザのロケーションを決定し；
前記ユーザ特化スペースに、前記ユーザのロケーションを示すデータを記憶し；
前記ユーザに関する追加データを受信し；
前記ユーザ特化スペースに、前記ユーザに関する前記追加データを記憶し；    前記ユーザ特化スペースにおけるデータの可能な要求者のアクセス・リストを受信し；
前記ユーザのロケーションおよび前記ユーザに関する前記追加データを示すデータを、前記アクセス・リスト上の可能な要求者に供給するステップ
を具備する方法。
【請求項４】 前記追加データは、クレジット情報を含む請求項３に記載の方法。
【請求項５】 ＧＰＳレシーバ及びワイヤレス通信機能を含むパーソナル通信装置（ＰＣＤ）と、
前記ＰＣＤに関連するロケーション及びユニークな識別子を指示する情報を受信し、前記ＰＣＤに関連する前記ロケーション及び前記ユニークな識別子をアプリケーションサーバに提供するＧＰＳサーバと、
前記ＰＣＤに関連する前記ロケーション及び前記ユニークな識別子を受信するとユーザ特化データスペースを前記ＰＣＤに関連する現在のロケーション及び前記ユニークな識別子で更新するためのプログラムを実行するように構成されたアプリケーションサーバであって、さらに、異なるユーザに、ユーザの識別に基づいて前記アプリケーションサーバへの異なるアクセスを許すように構成された前記アプリケーションサーバと、を具備するロケーション関連サーバシステム。
【請求項６】 前記アプリケーションサーバは、前記ユーザ特化データスペースに前記ＰＣＤに関連する個人に関する情報を記憶するようにさらに構成されていることを特徴とする請求項５に記載のロケーション関連サーバシステム。
【請求項７】 前記アプリケーションサーバは、前記個人に関する情報を要求者に提供するようにさらに構成されていることを特徴とする請求項６に記載のロケーション関連サーバシステム。
【請求項８】 前記アプリケーションサーバは、前記ユーザ特化データスペースのデータを変更するようにさらに構成されていることを特徴とする請求項７に記載のロケーション関連サーバシステム。
【請求項９】 前記ユーザ特化データスペースの前記データは、前記個人に関するコンタクト情報を含むことを特徴とする請求項８に記載のロケーション関連サーバシステム。
【請求項１０】 前記ＧＰＳサーバは、前記ＰＣＤ及び衛星の相対的Ｄｏｐｐｌｅｒオフセットを考慮して前記衛星を決定するようにさらに構成されていることを特徴とする請求項５に記載のロケーション関連サーバシステム。
【請求項１１】 前記ＧＰＳサーバは、エラー修正処理を提供し、それによって、前記ＰＣＤの側で減少した信号の処理が可能になるようにさらに構成されていることを特徴とする請求項５に記載のロケーション関連サーバシステム。
【請求項１２】 前記ＧＰＳサーバは、ＰＣＤの精査を実行し、前記ＰＣＤの前記ロケーションの指示を受信するようにさらに構成されていることを特徴とする請求項５に記載のロケーション関連サーバシステム。
【請求項１３】 前記ＧＰＳサーバは、ＰＣＤのロケーション及び識別子を前記アプリケーションサーバに送るようにさらに構成されていることを特徴とする請求項５に記載のロケーション関連サーバシステム。
【請求項１４】 前記アプリケーションサーバは、前記個人に関する異なる情報を異なる要求者に提供するように構成されていることを特徴とする請求項８に記載のロケーション関連サーバシステム。
【請求項１５】 前記アプリケーションサーバは、前記ユーザ特化データスペースは、前記ＰＣＤに関連するユーザに関するコンタクト情報を記憶することを特徴とする請求項１３に記載のロケーション関連サーバシステム。
【請求項１６】 位置及び他の関連する情報を管理するためのモバイルサービスシステムであって、当該システムは、
インターネットを使用して種々のウェブサーバ及びモバイル装置に接続された購読者サーバ及びＧＰＳサーバを含み、
ウェブサーバの１つは、多くのユーザ特化記憶スペースに関連づけられたアプリケーションサーバであり、
前記ウェブサーバ及び前記ユーザ特化記憶スペースは、一般のユーザが、所定のセキュリティレベルに基づいて、個人のロケーションや前記個人に関連する情報に対して前記ユーザ特化記憶スペースに問い合わせることができるように、インターネットを使用して一般のユーザと接続されていることを特徴とするシステム。
【請求項１７】 前記所定のセキュリティレベルは、要求者に割り当てられたセキュリティレベルに基づいて前記個人に関連する情報へのアクセスを制限するように実施されることを特徴とする請求項１６に記載のシステム。
【請求項１８】 ロケーションと他の関連情報を管理するための中央データベースと接続されたロケーション中心情報システムであって、前記システムは、自動車ユーザによって利用される、購読者サーバと通信すＰＣＤを含み、前記システムは、さらに、前記中央データベース中に個人ユーザが彼らの電子通信ロケーションに関して場所を特定されることができるようにする情報を維持し、前記中央データベース中に複数の個人及びそれぞれの個人にリンクしたインターネットアドレスに関する情報を維持し、前記インターネットアドレスはホームサイトコンピュータシステムを指示し、前記ホームサイトコンピュータシステムは、前記個人の電子的接触情報及び地理的ロケーション、並びに前記ホームサイトコンピュータによって維持される情報に関連するセキュリティレベルインデックスを維持するように構成されるロケーション中心情報システム。
【請求項１９】 前記所定のセキュリティレベルインデックスは、１から１０の間の数に対応していることを特徴とする請求項１８に記載のシステム。
【請求項２０】 前記所定のセキュリティレベルインデックスは、情報のそれぞれの項目に対して割り当てられていることを特徴とする請求項１９に記載のシステム。
【請求項２１】 前記所定のセキュリティレベルインデックスは、要求者ごとに適用されることを特徴とする請求項２０に記載のシステム。
【請求項２２】 識別されていない要求者はデフォルトのセキュリティレベルインデックスが与えられることを特徴とする請求項２１に記載のシステム。
【請求項２３】 前記ホームサイトコンピュータシステムは、前記ホームサイトコンピュータによって受信されたパスワードを使用して要求者の同一性を認証することを特徴とする請求項２２に記載のシステム。
【請求項２４】 前記要求者は、前記要求者のセキュリティレベルインデックス及び前記要求者のセキュリティレベルインデックスより下の値に対する情報のみを取得できることを特徴とする請求項２３に記載のシステム。
【請求項２５】 前記電子的接触情報は、自宅の電話番号、職場の電話番号、セルラー電話番号、ファックス電話番号、及び電子メールアドレスの少なくとも１つを含むことを特徴とする請求項２４に記載のシステム。
【請求項２６】 前記地理的ロケーションは、緯度、経度、及び住所を含むことを特徴とする請求項２５に記載のシステム。